(57)【特許請求の範囲】
【請求項１】
取水口沈砂池に堆積した堆積土砂を排除するために、該取水口沈砂池の底部に複数本の渦動排砂管（２１〜２６）を配置した水力発電所用の揚砂装置（１０）であって、
前記取水口沈砂池の取水口側に近い位置に設けられた、該取水口沈砂池の底面に向けた複数のスリット（２７）を有する取水口側の渦動排砂管（２１，２４）と、
前記取水口沈砂池の導水口側に近い位置に設けられた、該取水口沈砂池の底面に向けた複数のスリット（２７）を有する導水口側の渦動排砂管（２３，２６）と、
空気混入駆動高圧水を噴射して前記取水口側の渦動排砂管（２１，２４）および前記導水口側の渦動排砂管（２３，２６）内に吸込水流を発生させることにより前記取水口沈砂池に堆積した堆積土砂を水とともに吸い上げるために、該取水口沈砂池内に設けられたジェットポンプ（４１，４２）と、
前記ジェットポンプ（４１，４２）に高圧水を送り込むために、前記取水口沈砂池内に設けられた圧力水ポンプ（５１，５２）と、を備え、
前記取水口側の渦動排砂管（２１，２４）が、
前記取水口沈砂池内に土砂を流入させ、かつ堆積させるために取水口側に形成された壁における、堆積土砂が導水口から溢流する高さに相当する最大許容高さまで土砂が堆積する位置から、該取水口側の渦動排砂管（２１，２４）の沈砂地の底面に向けたスリット（２７）の位置までの長さが、式１の数式に示す距離ｄ１になるように設置されている、ことを特徴とする水力発電所用の揚砂装置。
ｄ１＝（Ｈ１−ｈ１）／ｔａｎ(θ)      ・・・式１
ここで、Ｈ１＝前記取水口沈砂池の取水口側における該取水口沈砂池の底部からの堆積土砂が導水口から溢流する高さに相当する最大許容高さ
ｈ１＝前記取水口沈砂池の底部からの前記取水口側の渦動排砂管（２１，２４）のスリット（２７）の高さ
θ＝水中安息角
【請求項２】
前記導水口側の渦動排砂管（２３，２６）が、
前記取水口沈砂池内に土砂を流入させ、かつ堆積させるために導水口側に形成された壁における、堆積土砂が該導水口から溢流する高さに相当する最大許容高さまで土砂が堆積する位置から、該導水口側の渦動排砂管（２３，２６）の沈砂地の底面に向けたスリット（２７）の位置までの長さが、式２の数式に示す距離ｄ２になるように設置されている、ことを特徴とする請求項１に記載の水力発電所用の揚砂装置。
ｄ２＝（Ｈ２−ｈ２）／ｔａｎ(θ)       ・・・式２
ここで、Ｈ２＝前記取水口沈砂池の導水口側における該取水口沈砂池の底部からの堆積土砂が導水口から溢流する高さに相当する最大許容高さ
ｈ２＝前記取水口沈砂池の底部からの前記導水口側の渦動排砂管（２３，２６）のスリット（２７）の高さ
θ＝水中安息角
【請求項３】
前記取水口沈砂池の取水口近傍の底部に設けられた、該取水口沈砂池の取水口近傍に堆積した堆積土砂の高さを測定するための土圧計（８１）をさらに備え、
該土圧計（８１）により測定された堆積土砂の高さが所定の高さに達したときに前記揚砂装置（１０）が駆動される、ことを特徴とする、請求項１または２記載の水力発電所用の揚砂装置。
【請求項４】
前記取水口沈砂池の導水口近傍の底部に設けられた、該取水口沈砂池の導水口近傍に堆積した堆積土砂の高さを測定するための他の土圧計（８２）をさらに備え、
該他の土圧計（８２）により測定された堆積土砂の高さが所定の高さに達したときに前記揚砂装置（１０）が駆動される、ことを特徴とする請求項３に記載の水力発電所用の揚砂装置。
【請求項５】
前記取水口側の渦動排砂管（２１，２４）および前記導水口側の渦動排砂管（２３，２６）と前記ジェットポンプ（４１，４２）との間に設けられた開閉器（３１，３２）をさらに備え、
該開閉器（３１，３２）が、前記取水口側の渦動排砂管（２１，２４）および前記導水口側の渦動排砂管（２３，２６）を順次前記ジェットポンプ（４１，４２）に接続するように制御される、ことを特徴とする請求項１、２、３又は４に記載の水力発電所用の揚砂装置。
【請求項６】
前記ジェットポンプ（４１，４２）が、前記取水口側の渦動排砂管（２１，２４）および前記導水口側の渦動排砂管（２３，２６）の前記スリット（２７）の周辺に堆積した堆積土砂を吹き飛ばす逆洗機能を有する、ことを特徴とする請求項１、２、３、４又は５に記載の水力発電所用の揚砂装置。
【請求項７】
前記取水口側の渦動排砂管（２１，２４）と前記導水口側の渦動排砂管（２３，２６）と前記ジェットポンプ（４１，４２）と前記圧力水ポンプ（５１，５２）とが、前記取水口沈砂池内に複数系列設けられている、ことを特徴とする請求項１、２、３、４、５又は６に記載の水力発電所用の揚砂装置。
【請求項８】
前記取水口沈砂池の取水口の上部に設けられた、前記取水口側の渦動排砂管（２１，２４）および前記導水口側の渦動排砂管（２３，２６）から送られてくる堆積土砂と水とを分離して該分離した堆積土砂を場外に排除するとともに該分離した水を前記取水口沈砂池に戻すための砂分離槽（６０）をさらに備える、ことを特徴とする請求項１、２、３、４、５、６又は７に記載の水力発電所用の揚砂装置。
【発明の詳細な説明】
【技術分野】
【０００１】
本発明は、水力発電所用の揚砂装置に関し、特に、混気型ジェットポンプと渦動排砂管とを組み合わせた水力発電所用の揚砂装置に関する。
【背景技術】
【０００２】
従来、流砂の多い河川に設置された流れ込み式水力発電所の沈砂池では、効率的な排砂ができない場合、発電を停止して人力により土砂を取り除いており、これらに多大な労力を要していた。このため、沈砂池に堆積した土砂を日常運用により効率的に排砂させる方法として、排砂管方式による排砂方法が求められていた。ここで、排砂管方式とは、スリットを切った管を沈砂池内底部に設置し、管内に発生する負圧を利用して水とともに土砂を吸い込み、管下流へ排出するものである。
【０００３】
また、周辺に国指定名勝地や県立自然公園特別区域がある水力発電所取水設備では、工事による改変を最小限に止める必要があることから、改変が大きくなる排砂路が必須である流水排砂方式よりも揚砂設備による排砂方式を採用した方がよい。このような揚砂設備の一例が以下に示す非特許文献１に開示されている。
【非特許文献１】今岡安則他２名，「奥津第二発電所における効率的な流入土砂対策」，電力土木，Ｎｏ．３０３，ｐｐ．３０−３４，２００３年１月
【０００４】
この非特許文献１に開示されている揚砂設備は、経済性、機能性、操作性、周辺環境調和などから混気型ジェットポンプ（ＭＪＰ）を採用するとともに、広範囲な排砂が可能なように離散型スリット渦動排砂管を採用している。
ここで、混気型ジェットポンプとは、管内へ空気を混入した駆動高圧水を送ることにより負圧（サクション）状態として、堆積土砂を混合状態で吸い上げる方式のポンプである。
また、離散型スリット渦動排砂管とは、スリット部から渦動排砂管部に流入した含砂水流に高速螺旋流を発生させながら砂を管下流へ排出するものである。
【発明の開示】
【発明が解決しようとする課題】
【０００５】
しかしながら、上記非特許文献１は、混気型ジェットポンプと離散型スリット渦動排砂管（以下、単に「渦動排砂管」という。）とを組み合わせた揚砂設備の構成を開示しているが、取水口沈砂池内に配置される渦動排砂管の最適な配置については何ら開示していない。
【０００６】
本発明の目的は、混気型ジェットポンプと渦動排砂管とを組み合わせた揚砂設備において渦動排砂管を取水口沈砂池内に最適に配置することにより堆積土砂による取水口および導水口の閉塞を回避するとともに、堆積土砂の高さを測定することにより駆動効率の向上を図ることができる水力発電所用の揚砂装置を提供することにある。
【課題を解決するための手段】
【０００７】
本発明の水力発電所用の揚砂装置は、取水口沈砂池に堆積した堆積土砂を排除するために、該取水口沈砂池の底部に複数本の渦動排砂管（２１〜２６）を配置した水力発電所用の揚砂装置（１０）であって、前記取水口沈砂池の取水口側に近い位置に設けられた、該取水口沈砂池の底面に向けた複数のスリット（２７）を有する取水口側の渦動排砂管（２１，２４）と、前記取水口沈砂池の導水口側に近い位置に設けられた、該取水口沈砂池の底面に向けた複数のスリット（２７）を有する導水口側の渦動排砂管（２３，２６）と、空気混入駆動高圧水を噴射して前記取水口側の渦動排砂管（２１，２４）および前記導水口側の渦動排砂管（２３，２６）内に吸込水流を発生させることにより前記取水口沈砂池に堆積した堆積土砂を水とともに吸い上げるために、該取水口沈砂池内に設けられたジェットポンプ（４１，４２）と、前記ジェットポンプ（４１，４２）に高圧水を送り込むために、前記取水口沈砂池内に設けられた圧力水ポンプ（５１，５２）と、を備え、前記取水口側の渦動排砂管（２１，２４）が、前記取水口沈砂池内に土砂を流入させ、かつ堆積させるために取水口側に形成された壁における、堆積土砂が導水口から溢流する高さに相当する最大許容高さまで土砂が堆積する位置から、該取水口側の渦動排砂管（２１，２４）の沈砂地の底面に向けたスリット（２７）の位置までの長さが、式１の数式に示す距離ｄ１になるように設置されている、ことを特徴とする。
ｄ１＝（Ｈ１−ｈ１）／ｔａｎ(θ)      ・・・式１
ここで、Ｈ１＝前記取水口沈砂池の取水口側における該取水口沈砂池の底部からの堆積土砂が導水口から溢流する高さに相当する最大許容高さ
ｈ１＝前記取水口沈砂池の底部からの前記取水口側の渦動排砂管（２１，２４）のスリット（２７）の高さ
θ＝水中安息角
【０００８】
前記導水口側の渦動排砂管（２３，２６）が、前記取水口沈砂池内に土砂を流入させ、かつ堆積させるために導水口側に形成された壁における、堆積土砂が該導水口から溢流する高さに相当する最大許容高さまで土砂が堆積する位置から、該導水口側の渦動排砂管（２３，２６）の沈砂地の底面に向けたスリット（２７）の位置までの長さが、式２の数式に示す距離ｄ２になるように設置されていてもよい。
ｄ２＝（Ｈ２−ｈ２）／ｔａｎ(θ)       ・・・式２
ここで、Ｈ２＝前記取水口沈砂池の導水口側における該取水口沈砂池の底部からの堆積土砂が導水口から溢流する高さに相当する最大許容高さ
ｈ２＝前記取水口沈砂池の底部からの前記導水口側の渦動排砂管（２３，２６）のスリット（２７）の高さ
θ＝水中安息角
前記取水口沈砂池の取水口近傍の底部に設けられた、該取水口沈砂池の取水口近傍に堆積した堆積土砂の高さを測定するための土圧計（８１）をさらに備え、該土圧計（８１）により測定された堆積土砂の高さが所定の高さに達したときに前記揚砂装置（１０）が駆動されてもよい。
前記取水口沈砂池の導水口近傍の底部に設けられた、該取水口沈砂池の導水口近傍に堆積した堆積土砂の高さを測定するための他の土圧計（８２）をさらに備え、該他の土圧計（８２）により測定された堆積土砂の高さが所定の高さに達したときに前記揚砂装置（１０）が駆動されてもよい。
【０００９】
前記取水口側の渦動排砂管（２１，２４）および前記導水口側の渦動排砂管（２３，２６）と前記ジェットポンプ（４１，４２）との間に設けられた開閉器（３１，３２）をさらに備え、該開閉器（３１，３２）が、前記取水口側の渦動排砂管（２１，２４）および前記導水口側の渦動排砂管（２３，２６）を順次前記ジェットポンプ（４１，４２）に接続するように制御されてもよい。
前記ジェットポンプ（４１，４２）が、前記取水口側の渦動排砂管（２１，２４）および前記導水口側の渦動排砂管（２３，２６）の前記スリット（２７）の周辺に堆積した堆積土砂を吹き飛ばす逆洗機能を有してもよい。
前記取水口側の渦動排砂管（２１，２４）と前記導水口側の渦動排砂管（２３，２６）と前記ジェットポンプ（４１，４２）と前記圧力水ポンプ（５１，５２）とが、前記取水口沈砂池内に複数系列設けられていてもよい。
前記取水口沈砂池の取水口の上部に設けられた、前記取水口側の渦動排砂管（２１，２４）および前記導水口側の渦動排砂管（２３，２６）から送られてくる堆積土砂と水とを分離して該分離した堆積土砂を場外に排除するとともに該分離した水を前記取水口沈砂池に戻すための砂分離槽（６０）をさらに備えていてもよい。
【発明の効果】
【００１０】
本発明の水力発電所用の揚砂装置は、以下に示すような効果を奏する。
（１）取水口側に設置される渦動排砂管の位置を最適化することにより、堆積土砂による取水口の閉塞を回避することができる。
（２）導水口側に設置される渦動排砂管の位置を最適化することにより、堆積土砂による導水口の閉塞を回避することができる。
（３）土圧計により取水口沈砂池の取水口側および導水口側の堆積土砂の高さを測定することにより、揚砂装置を効率的に駆動することができる。
【発明を実施するための最良の形態】
【００１１】
水力発電所用の揚砂装置の排砂効率の向上を図るという目的を、複数本配置した渦動排砂管の中で取水口側に近い位置に設置される渦動排砂管を、取水口沈砂池内に土砂を流入させ、かつ堆積させるために取水口側に形成された壁における、堆積土砂が導水口から溢流する高さに相当する最大許容高さまで土砂が堆積する位置から、該取水口側の渦動排砂管の沈砂地の底面に向けたスリットの位置までの長さが、距離ｄ１＝（Ｈ１−ｈ１）／ｔａｎ(θ)になるように設置することにより実現した。
また、導水口側に近い位置に設置される渦動排砂管を、取水口沈砂池内に土砂を流入させ、かつ堆積させるために導水口側に形成された壁における、堆積土砂が該導水口から溢流する高さに相当する最大許容高さまで土砂が堆積する位置から、該導水口側の渦動排砂管の沈砂地の底面に向けたスリットの位置までの長さが、距離ｄ２＝（Ｈ２−ｈ２）／ｔａｎ(θ)になるように設置することにより実現した。
【実施例１】
【００１２】
以下、本発明の水力発電所用の揚砂装置の実施例について図面を参照して説明する。
図１は本発明の一実施例による水力発電所用の揚砂装置を説明するための平面図である。図２は図１に示した揚砂装置１０における揚砂範囲を説明するための断面図である。
本発明の一実施例による水力発電所用の揚砂装置１０は、図１に示すように、取水口沈砂池の取水口側に設けられた１次スクリーン１１と、取水口沈砂池の導水口側に設けられた２次スクリーン１２と、取水口沈砂池の底部に設けられた第１乃至第６の渦動排砂管２１〜２６と、取水口沈砂池内に設けられた第１および第２の開閉器３１，３２と、取水口沈砂池内に設けられた第１および第２のジェットポンプ４１，４２と、取水口沈砂池内に設けられた第１および第２の圧力水ポンプ５１，５２と、取水口の上部に設けられた砂分離槽６０とを備える。
【００１３】
ここで、第１乃至第６の渦動排砂管２１〜２６は、第１および第２のジェットポンプ４１，４２の駆動能力を考慮して、第１乃至第３の渦動排砂管２１〜２３を１号系列とし第４乃至第６の渦動排砂管２４〜２６を２号系列とすることにより、２系列とされている。また、第１および第２のジェットポンプ４１，４２はそれぞれ１本の渦動排砂管を駆動する能力しか有しないため、第１乃至第３の渦動排砂管２１〜２３は第１の開閉器３１により順次第１のジェットポンプ４１に接続され、第４乃至第６の渦動排砂管２４〜２６は第２の開閉器３２により順次第２のジェットポンプ４２に接続されるように構成されている。
すなわち、１号系列の第１乃至第３の渦動排砂管２１〜２３の一端は第１の開閉器３１にそれぞれ接続されており、第１の開閉器３１は第１のジェットポンプ４１に接続されており、第１のジェットポンプ４１は第１の圧力水ポンプ５１に接続されている。また、２号系列の第４乃至第６の渦動排砂管２４〜２６の一端は第２の開閉器３２にそれぞれ接続されており、第２の開閉器３２は第２のジェットポンプ４２に接続されており、第２のジェットポンプ４２は第２の圧力水ポンプ５２に接続されている。
【００１４】
図３は図１に示した揚砂装置１０の動作を説明するための図である。図４は図１に示した各渦動排砂管２１〜２６に設けられたスリット２７の構成を説明するための図であり、（ａ）は各渦動排砂管２１〜２６の管径Ｐおよびスリット２７のスリット幅Ｗを説明するための図であり、（ｂ）はスリット２７のスリット長Ｌおよびスリット間隔Ｄを説明するための図である。
各渦動排砂管２１〜２６の管径Ｐは１００ｍｍである（図４（ａ）参照）。各渦動排砂管２１〜２６には、スリット幅Ｗ＝４０ｍｍでスリット長Ｌ＝５０ｍｍのスリット２７がスリット間隔Ｄ＝９５０ｍｍで複数個設けられている（図４（ａ），（ｂ）参照）。各渦動排砂管２１〜２６は、図３に示すように、スリット２７が下向き、即ち沈砂地の底面に向くように取水口沈砂池底部に設けられている。
また、各渦動排砂管２１〜２６の管底のクリアランス（すなわち、取水口沈砂池底部からの渦動排砂管２１〜２６のスリット２７の高さｈ１，ｈ２）は、塵芥の大きさを考慮して１００ｍｍとされている。
【００１５】
第１および第２のジェットポンプ４１，４２には、空気導入管４３（図３参照）が設けられており、第１および第２の圧力水ポンプ５１，５２から送り込まれてくる高圧水に空気を混入させて各渦動排砂管２１〜２６に送り込む。
【００１６】
砂分離槽６０は、第１乃至第６の渦動排砂管２１〜２６から送られてくる堆積土砂と水とを分離して、分離した土砂を場外に排除するとともに、分離した水を水返送管７０を介して取水口沈砂池に戻す。
【００１７】
次に、本実施例による揚砂装置１０の動作について、１号系列の第１乃至第３の渦動排砂管２１〜２３を用いて取水口沈砂池に溜まった堆積土砂を排除する場合を例として、図３を参照して説明する。なお、図３では、説明の都合上で第１の開閉器３１を省略している。
まず、第１の開閉器３１を制御して第１の渦動排砂管２１と第１のジェットポンプ４１とを接続する。その後、第１の圧力水ポンプ５１を駆動して高圧水を第１のジェットポンプ４１に送り込むとともに、第１のジェットポンプ４１を駆動して、第１のジェットポンプ４１に設けられた空気導入管４３から送り込まれる空気と第１の圧力水ポンプ５１からの高圧水とが混合した空気混入駆動高圧水を第１の渦動排砂管２１に送り込む。これにより、第１の渦動排砂管２１の管内が負圧状態となって第１の渦動排砂管２１内に吸込水流が発生する。その結果、堆積土砂は、第１の渦動排砂管２１に設けられた各スリット２７から水と一緒に第１の渦動排砂管２１内に吸い込まれて砂分離槽６０に送り込まれる。
砂分離槽６０では、土砂と水とが分離されて、土砂は場外に排除され、水は水返送管７０を介して取水口沈砂池に戻される。
【００１８】
なお、第１の渦動排砂管２１は離散型スリット式であるため、スリット２７にゴミなどが詰まってスリット２７が閉塞することがある。このような場合には、ジェットポンプは渦動排砂管のスリットの周辺に堆積した堆積土砂を吹き飛ばす逆洗機能を有するため、第１のジェットポンプ４１の逆洗機能を働かせてスリット２７周辺に堆積した土砂を吹き飛ばしたのちに、上述した動作を行わせる。
【００１９】
以上のようにして第１の渦動排砂管２１周辺の堆積土砂を排除し終わると、第１の開閉器３１を制御して第２の渦動排砂管２２と第１のジェットポンプ４１とを接続して、同様にして第２の渦動排砂管２２周辺の堆積土砂を排除する。
その後、第２の渦動排砂管２２周辺の堆積土砂を排除し終わると、第１の開閉器３１を制御して第３の渦動排砂管２３と第１のジェットポンプ４１とを接続して、同様にして第３の渦動排砂管２３周辺の堆積土砂を排除する。
【００２０】
ここで、第１乃至第３の渦動排砂管２１〜２３の揚砂範囲は、図２に斜線で示すように、スリット下向きで水中安息角θ＝３０〜４０度の円錐状となるため、取水口側の近くに設置される第１および第４の渦動排砂管２１，２４を取水口沈砂池の取水口側の壁から離して設置すると、取水口近傍の堆積土砂が排除されず、取水口の閉塞の原因となる。一方、第１および第４の渦動排砂管２１，２４を取水口沈砂池の取水口側の壁に近づけすぎると、第１の渦動排砂管２１と第２の渦動排砂管２２との間隔が開き過ぎてこの２つの渦動排砂管２１，２２の間に堆積した土砂を効率的に排除することができなくなる。
導水口側の近くに設置される第３および第６の渦動排砂管２３，２６についても、取水口沈砂池の導水口側の壁から離して設置すると、導水口近傍の堆積土砂が排除されず、導水口の閉塞の原因となる。一方、第３および第６の渦動排砂管２３，２６を取水口沈砂池の度導水口側の壁に近づけすぎると、第５の渦動排砂管２５と第６の渦動排砂管２６との間隔が開き過ぎてこの２つの渦動排砂管２５，２６の間に堆積した土砂を効率的に排除することができなくなる。
【００２１】
図５は図１に示した取水口側に設置される第１および第４の渦動排砂管２１，２４と最も導水口側に設置される第３および第６の渦動排砂管２３，２６の最適配置を説明するための図である。
そこで、このような問題を解決するため、本実施例の揚砂装置１０では、図５に示すように、取水口側の近くに設置される第１および第４の渦動排砂管２１，２４を取水口沈砂池の取水口側の壁の最大許容高さ、即ち堆積土砂が導水口から溢流する高さに堆積土砂が堆積したときの位置から流水方向に沿って距離ｄ１＝（Ｈ１−ｈ１）／ｔａｎ(θ)の位置に設置する。ここで、Ｈ１は取水口沈砂池の取水口側における取水口沈砂池の底部からの堆積土砂の最大許容高さであり、ｈ１は取水口沈砂池の底部からの第１および第４の渦動排砂管２１，２４のスリット２７の高さであり、θは水中安息角である。これにより、取水口沈砂池の取水口近傍に堆積した土砂は揚砂範囲に入るため、取水口の閉塞を回避することができるとともに、第１および第４の渦動排砂管２１，２４を距離ｄ１しか取水口沈砂池の取水口側の壁に近づけないため、第１の渦動排砂管２１と第２の渦動排砂管２２との間隔および第４の渦動排砂管２４と第５の渦動排砂管２５との間隔を開け過ぎることを回避することができる。
同様に、導水口側の近くに設置される第３および第６の渦動排砂管２３，２６を取水口沈砂池の導水口側の壁の最大許容高さ、即ち堆積土砂がこの導水口から溢流する高さに堆積土砂が堆積したときの位置から流水方向に沿って距離ｄ２＝（Ｈ２−ｈ２）／ｔａｎ(θ)の位置に設置する。ここで、Ｈ２は取水口沈砂池の導水口側における取水口沈砂池の底部からの堆積土砂の最大許容高さであり、ｈ２は導水口沈砂池の底部からの第３および第６の渦動排砂管２３，２６のスリット２７の高さであり、θは水中安息角である。これにより、取水口沈砂池の導水口側近傍に堆積した土砂は揚砂範囲に入るため、導水口の閉塞を回避することができるとともに、第３および第６の渦動排砂管２３，２６を距離ｄ２しか取水口沈砂池の導水口側の壁に近づけないため、第２の渦動排砂管２２と第３の渦動排砂管２３との間隔および第５の渦動排砂管２５と第６の渦動排砂管２６との間隔を開け過ぎることを回避することができる。
【００２２】
なお、図２に示すように、取水口沈砂池の取水口近傍および導水口近傍の底部に第１および第２の土圧計８１，８２をそれぞれ設け、取水口近傍および導水口近傍に堆積された土砂の高さを第１および第２の土圧計８１，８２でそれぞれ測定し、堆積土砂の高さが所定の高さ（たとえば、最大許容高さＨ１，Ｈ２）に達したときに揚砂装置１０を駆動することにより、揚砂装置１０の効率的な運転を行うことができる。
【産業上の利用可能性】
【００２３】
以上説明したように、本発明の水力発電所用の揚砂装置を用いることにより、たとえば周辺に国指定名勝地や県立自然公園特別区域があり大きな地形改変ができない等により流水排砂方式が採用できない水力発電所取水設備において効率的な堆積土砂の排除をすることができる。
【図面の簡単な説明】
【００２４】
【図１】本発明の一実施例による水力発電所用の揚砂装置を説明するための平面図である。（実施例１）
【図２】図１に示した揚砂装置１０における揚砂範囲を説明するための断面図である。（実施例１）
【図３】図１に示した揚砂装置１０の動作を説明するための図である。（実施例１）
【図４】図１に示した各渦動排砂管２１〜２６に設けられたスリット２７の構成を説明するための図であり、（ａ）は各渦動排砂管２１〜２６の管径Ｐおよびスリット２７のスリット幅Ｗを説明するための図であり、（ｂ）はスリット２７のスリット長Ｌおよびスリット間隔Ｄを説明するための図である。（実施例１）
【図５】図１に示した取水口側に設置される第１および第４の渦動排砂管２１，２４と最も導水口側に設置される第３および第６の渦動排砂管２３，２６の最適配置を説明するための図である。（実施例１）
【符号の説明】
【００２５】
１０ 揚砂装置
１１ １次スクリーン
１２ ２次スクリーン
２１〜２６ 渦動排砂管
３１，３２ 開閉器
４１，４２ ジェットポンプ
４３ 空気導入管
５１，５２ 圧力水ポンプ
６０ 砂分離管
７０ 水返送管
８１，８２ 土圧計
ｄ１ 距離
Ｈ１ 取水口沈砂池の取水口側における取水口沈砂池の底部からの堆積土砂の最大許容高さ（堆積土砂が導水口から溢流する高さ）
ｈ１ 取水口沈砂池の底部からの第１および第４の渦動排砂管のスリットの高さ
【図１】
0004671595.tif 000002
【図２】
0004671595.tif 000003
【図３】
0004671595.tif 000004
【図４】
0004671595.tif 000005
【図５】
0004671595.tif 000006